(57)【要約】      （修正有） 【課題】バラツキによる片引き状態を回避できて同時操作を確実にでき、２本の出力側ケーブルを互いに逆方向に引くことを可能にし、それに伴って複数の施錠装置を同時に解除可能にする。 【解決手段】施錠装置に連結される出力側リリース・ケーブル１１と、別の施錠装置に連結される別の出力側リリース・ケーブル１２と、その２本に解除操作を伝達する入力側リリース・ケーブル１３をそのケーブル・ホルダー２９内において互いに向かい合う方向で両リンク端を対応的に連結し、リンク中間にその入力側リリース・ケーブル１３を連結し、そして、そのケーブル・ホルダー２９の外に２本の出力側リリース・ケーブル１１、１２、およびその入力側リリース・ケーブル１３を引き出し可能にするケーブル連結リンク３１、その別の出力側リリース・ケーブル１２を掛けてその出力側リリース・ケーブル１１に対して逆方向に引き出し可能にする案内滑車３２で組み立てられる。 【選択図】図１
2007118802.tif 000002
【特許請求の範囲】
【請求項１】
施錠装置に連結される出力側リリース・ケーブルと、別の施錠装置に連結される別の出力側リリース・ケーブルと、その２本の出力側リリース・ケーブルの解除操作を伝達する入力側リリース・ケーブルと、その施錠装置の解除ストロークよりも長い引きストロークを確保するケーブル・ホルダー、そのケーブル・ホルダー内において互いに向かい合う方向で両リンク端にその２本の出力側リリース・ケーブルの入力側ケーブル・エンドを対応的に連結し、リンク中間にその入力側リリース・ケーブルの出力側ケーブル・エンドを連結し、そして、そのケーブル・ホルダーの外にその出力側リリース・ケーブル、その別の出力側リリース・ケーブル、およびその入力側リリース・ケーブルを引き出し可能にするケーブル連結リンク、およびそのケーブル・ホルダー内においてその別の出力側リリース・ケーブルのその入力側ケーブル・エンドを連結するそのケーブル連結リンクのそのリンク端に隣接されて配置され、そして、その別の出力側リリース・ケーブルを掛けてその出力側リリース・ケーブルに対して逆方向においてそのケーブル・ホルダーからその別の出力側リリース・ケーブルを引き出し可能にする案内滑車で組み立てられる二叉ケーブル連結器とを含む乗り物シートの複数の施錠装置に用いる解除機構。 
【発明の詳細な説明】
【技術分野】
【０００１】
この発明は、乗り物シートの複数の施錠装置に用いる解除機構に関し、詳細には、例えば自動車シートのウォークイン機構、すなわり、その自動車シートのリクライニング・デバイスおよびシート・トラックそれぞれの施錠装置を同時に解除可能にする解除機構に関する。 
【背景技術】
【０００２】
通常、乗用車、ワゴン、およびバンなどのフロント・シートは、解除機構でリクライニング・デバイスおよびシート・トラックそれぞれの施錠装置を同時に解除する。その解除機構は、それら施錠装置それぞれの解除レバーに接続される２本のケーブルをストラップで同時に引いて解除するので、その２本のケーブルがそのストラップで引かれてもケーブル取付けのバラツキで片引き状態になり、そして、それら施錠装置の何れか一方が解除されてもそれら施錠装置の何れか他方は解除されない。 
また、入力側が１本で出力側が２本になる二叉リリース・ケーブルの場合、その２本の出力側リリース・ケーブルの何れか一方が引ききっても取付けバラツキや配策違いからその他方の出力側リリース・ケーブルが引ききられずに必要な引き量を満足できない不具合があった。さらに、その２本の出力側リリース・ケーブルが互いに逆方向になる場合、その出力側リリース・ケーブルの何れか一方に無理な曲げが発生してしまう不具合があった。 
【特許文献１】特開平１０−３２３２５２号公報
【発明の開示】
【発明が解決しようとする課題】
【０００３】
この発明の課題は、ケーブル取付けバラツキによる片引き状態を回避できて同時操作を確実にでき、ケーブルの無理な曲げを回避できて標準ケーブルで二叉ケーブルにでき、そして、２本の出力側ケーブルを互いに逆方向に引くことを可能にし、それに伴ってその二叉ケーブルを低コストにできて複数の施錠装置を同時に解除可能にするところの乗り物シートの複数の施錠装置に用いる解除機構の提供にある。 
【課題を解決するための手段】
【０００４】
この発明は、施錠装置に連結される出力側リリース・ケーブルと、別の施錠装置に連結される別の出力側リリース・ケーブルと、その２本の出力側リリース・ケーブルの解除操作を伝達する入力側リリース・ケーブルと、その施錠装置の解除ストロークよりも長い引きストロークを確保するケーブル・ホルダー、そのケーブル・ホルダー内において互いに向かい合う方向で両リンク端にその２本の出力側リリース・ケーブルの入力側ケーブル・エンドを対応的に連結し、リンク中間にその入力側リリース・ケーブルの出力側ケーブル・エンドを連結し、そして、そのケーブル・ホルダーの外にその出力側リリース・ケーブル、その別の出力側リリース・ケーブル、およびその入力側リリース・ケーブルを引き出し可能にするケーブル連結リンク、およびそのケーブル・ホルダー内においてその別の出力側リリース・ケーブルのその入力側ケーブル・エンドを連結するそのケーブル連結リンクのそのリンク端に隣接されて配置され、そして、その別の出力側リリース・ケーブルを掛けてその出力側リリース・ケーブルに対して逆方向においてそのケーブル・ホルダーからその別の出力側リリース・ケーブルを引き出し可能にする案内滑車で組み立てられる二叉ケーブル連結器とを含む。 
【発明の効果】
【０００５】
この発明では、二叉ケーブル連結器が、その施錠装置の解除ストロークよりも長い引きストロークを確保するケーブル・ホルダー、そのケーブル・ホルダー内において互いに向かい合う方向で両リンク端にその２本の出力側リリース・ケーブルの入力側ケーブル・エンドを対応的に連結し、リンク中間にその入力側リリース・ケーブルの出力側ケーブル・エンドを連結し、そして、そのケーブル・ホルダーの外にその出力側リリース・ケーブル、その別の出力側リリース・ケーブル、およびその入力側リリース・ケーブルを引き出し可能にするケーブル連結リンク、およびそのケーブル・ホルダー内においてその別の出力側リリース・ケーブルのその入力側ケーブル・エンドを連結するそのケーブル連結リンクのそのリンク端に隣接されて配置され、そして、その別の出力側リリース・ケーブルを掛けてその出力側リリース・ケーブルに対して逆方向においてそのケーブル・ホルダーからその別の出力側リリース・ケーブルを引き出し可能にする案内滑車で組み立てられるので、その２本の出力側リリース・ケーブルがその入力側リリース・ケーブルで同時に引かれてその２本の出力側リリース・ケーブルの何れか一方がフル・ストロークされ、その際、その２本の出力側リリース・ケーブルの他方がまだ解除するまでに引っ張られない場合にもそのケーブル連結リンクでさらに引っ張り可能になり、すなわち、その２本の出力側リリース・ケーブルの何れれか他方にはまだ引きストロークの余裕があり、ケーブル取付けのバラツキによる片引き状態が回避されて同時操作が確実に行われ、その他方の出力側リリース・ケーブルの無理な曲げがその案内滑車で回避されて二叉ケーブルが標準ケーブルで製作可能になり、そして、その２本の出力側リリース・ケーブルが互いに逆方向に引き可能になり、それに伴ってその二叉ケーブルが低コストになって複数の施錠装置を同時に解除可能にする。 
【発明を実施するための最良の形態】
【０００６】
その２本の出力側リリース・ケーブルおよびその入力側リリース・ケーブルは、アウター・ケーブルおよびインナー・ケーブルで組み立てられるところの標準プッシュ・プル・ケーブルを用い、また、その二叉ケーブル連結器は、その施錠装置の解除ストロークよりも長い引きストロークを確保するケーブル・ホルダー、そのケーブル・ホルダー内において互いに向かい合う方向で両リンク端にその２本の出力側リリース・ケーブルの入力側ケーブル・エンドを対応的に連結し、リンク中間にその入力側リリース・ケーブルの出力側ケーブル・エンドを連結し、そして、そのケーブル・ホルダーの外にその出力側リリース・ケーブル、その別の出力側リリース・ケーブル、およびその入力側リリース・ケーブルを引き出し可能にするケーブル連結リンク、およびそのケーブル・ホルダー内においてその別の出力側リリース・ケーブルのその入力側ケーブル・エンドを連結するそのケーブル連結リンクのそのリンク端に隣接されて配置され、そして、その別の出力側リリース・ケーブルを掛けてその出力側リリース・ケーブルに対して逆方向においてそのケーブル・ホルダーからその別の出力側リリース・ケーブルを引き出し可能にする案内滑車で組み立てられる。 
【０００７】
そのケーブル連結リンクは、それの両リンク端およびリンク中間にローラー・ソケットを備え、そして、その２本の出力側リリース・ケーブルのその入力側ケーブル・エンドのローラーおよびその入力側リリース・ケーブルのその出力側ケーブル・エンドのローラーをその３つのローラー・ソケットに対応的にはめ込んでその入力側リリース・ケーブルをその出力側リリース・ケーブルに連結するのが望ましい。 
また、そのケーブル連結リンクは、それの両リンク端およびリンク中間にボール・ソケットを備え、そして、その２本の出力側リリース・ケーブルのその入力側ケーブル・エンドのボールおよびその入力側リリース・ケーブルのその出力側ケーブル・エンドのボールをその３つのボール・ソケットに対応的にはめ込んでその入力側リリース・ケーブルをその出力側リリース・ケーブルに連結してもかまわない。 
【実施例１】
【０００８】
以下、特定されて図示された具体例に基づいて、この発明の乗り物シートの複数の施錠装置に用いる解除機構を説明するに、図１ないし図１２は、乗用車やワゴンなどのフロント・シート（図示せず）に適用されるところのこの発明の乗り物シートの複数の施錠装置に用いる解除機構の具体例１０を示し、そして、そのフロント・シートは、シート・トラックを組み込むシート・クッション、リクライニング・デバイスでそのシート・クッションに前倒しおよび角度調整可能に支持されるシート・バック、およびそのシート・バックに取り外し可能に組み立てられるヘッドレストなどで組み立てられ、そして、そのシート・トラックでフロアに前後調整可能に据え付けられるところの構造を採り、そして、そのリクライニング・デバイスおよびシート・トラックそれぞれの施錠装置（図示せず）で調整位置に動けなくされるので、この解除機構１０では、出力側リリース・ケーブル１１が、それのシート・アジャスター側ケーブル・エンドでそのリクライニング・デバイスのその施錠装置の解除レバー（図示せず）に連結され、また、別の出力側リリース・ケーブル１２が、それのシート・アジャスター側ケーブル・エンドでそのシート・トラックのその施錠装置の解除レバー（図示せず）に連結され、さらに、入力側リリース・ケーブル１３が、その２本の出力側リリース・ケーブル１１、１２に解除操作を伝達可能にし、またさらに、二叉ケーブル連結器１４が、それら施錠装置の解除ストロークよりも長い引きストロークを確保する箱形ケーブル・ホルダー２９、そのケーブル・ホルダー２９に被せられて外れ留めされる蓋３０、そのケーブル・ホルダー２９内において互いに向かい合う方向で両リンク端にその２本の出力側リリース・ケーブル１１、１２の入力側ケーブル・エンド２２、２４を対応的に連結し、リンク中間にその入力側リリース・ケーブル１３の出力側ケーブル・エンド２６を連結し、そして、そのケーブル・ホルダー２９の外にその出力側リリース・ケーブル１１、その別の出力側リリース・ケーブル１２、およびその入力側リリース・ケーブル１３を引き出し可能にするケーブル連結リンク３１、およびそのケーブル・ホルダー２９内においてその別の出力側リリース・ケーブル１２のその入力側ケーブル・エンド２４を連結するそのケーブル連結リンク３１のそのリンク端に隣接されて配置され、そして、その別の出力側リリース・ケーブル１２を掛けてその出力側リリース・ケーブル１１に対して逆方向においてそのケーブル・ホルダー２９からその別の出力側リリース・ケーブル１２を引き出し可能にする案内滑車３２で組み立てられ、そして、その入力側リリース・ケーブル１３からその２本の出力側リリース・ケーブル１１、１２に解除操作を伝達可能にする。 
【０００９】
その出力側リリース・ケーブル１１、１２およびその入力側リリース・ケーブル１３は、アウター・ケーブル１５、１７、１９およびインナー・ケーブル１６、１８、２０で組み立てられるところの標準プッシュ・プル・ケーブルが用いられる。その出力側リリース・ケーブル１１は、そのアウター・ケーブル１５がそれの入力側ケーブル・エンド２１にケーブル・コネクター２７を結合し、そして、そのケーブル・コネクター２７でその二叉ケーブル連結器１４のそのケーブル・ホルダー２９に抜け留めされてそのケーブル・ホルダー２９から伸長され、また、そのインナー・ケーブル１６がそれの入力側ケーブル・エンド２２ローラー２８を結合し、そのローラー２８でその二叉ケーブル連結器１４のそのケーブル連結リンク３１の両リンク端の一方に連結され、そのアウター・ケーブル１５に通されてその二叉ケーブル連結器１４のそのケーブル・ホルダー２９から引き出され、そして、それのシート・アジャスター側ケーブル・エンドでそのリクライニング・デバイスのその解除レバーに結合されるところの接続方法を採るので、そのインナー・ケーブル１６でそのリクライニング・デバイスのその解除レバーを操作可能にする。 
【００１０】
その別の出力側リリース・ケーブル１２は、そのアウター・ケーブル１７がそれの入力側ケーブル・エンド２３にケーブル・コネクター２７を結合し、そして、その出力側リリース・ケーブル１１に対して逆方向でその入力側リリース・ケーブル１３に対して同方向においてそのケーブル・コネクター２９でその二叉ケーブル連結器１４のそのケーブル・ホルダー２９に抜け留めされてそのケーブル・ホルダー２９から伸長され、また、そのインナー・ケーブル１８がそれの入力側ケーブル・エンド２４にローラー２８を結合し、そのローラー２８でその二叉ケーブル連結器１４のそのケーブル連結リンク３１のその両リンク端の他方に連結されてその二叉ケーブル連結器１４のその案内滑車３２に掛けられ、そして、その出力側リリース・ケーブル１１に対して逆方向においてそのアウター・ケーブル１７に通されてその二叉ケーブル連結器１４のそのケーブル・ホルダー２９から引き出され、そして、それのシート・アジャスター側ケーブル・エンドでそのシート・トラックのその解除レバーに結合されるところの接続方法を採るので、そのインナー・ケーブル１８でそのシート・トラックのその解除レバーを操作可能にする。 
【００１１】
その入力側リリース・ケーブル１３は、そのアウター・ケーブル１９がそれの出力側ケーブル・エンド２５にケーブル・コネクター２７を結合し、そして、その出力側リリース・ケーブル１１に対して逆方向においてそのケーブル・コネクター２７でその二叉ケーブル連結器１４のそのケーブル・ホルダー２９に抜け留めされてそのケーブル・ホルダー２９から伸長され、また、そのインナー・ケーブル２０がそれの出力側ケーブル・エンド２６にローラー２８を結合し、そのローラー２８でその二叉ケーブル連結器１４のそのケーブル連結器リンク３１のリンク中間に連結されてその出力側リリース・ケーブル１１に対して逆方向においてそのアウター・ケーブル    に通されてその二叉ケーブル連結器１４のそのケーブル・ホルダー２９から引き出され、そして、それの操作側ケーブル・エンドで操作ストラップあるいは操作グリップ若しくは操作レバーに結合されるところの接続方法を採るので、そのインナ・ケーブル２０でその２本の出力側リリース・ケーブル１１、１２のインナ・ケーブル１６、１８に解除操作を伝達する。 
【００１２】
その二叉ケーブル連結器１４は、前述されたようにその箱形ケーブル・ホルダー２９、その蓋３０、そのケーブル連結リンク３１、およびその案内滑車３２で組み立てられる。さらに具体的に述べるに、この二叉ケーブル連結器１４では、その箱形ケーブル・ホルダー２９は、鋼板から打ち抜かれたブランクにプレス加工を施して底壁３３、出力側端壁３４、３５、入力側端壁３６、および滑車側端壁３７で構成される箱形に成形される。この箱形ケーブル・ホルダー２９は、それら施錠装置それぞれの解除ストロークよりも長い引きストロークを確保する間隔でその底壁３３の一端にその出力側端壁３４を、その底壁３３の他端にその入力側端壁３６をそれぞれ折り曲げ、そして、その出力側端壁３４および入力側端壁３６それぞれにケーブル留めスロット３８、３８を上端に開口させて切り欠いてそのケーブル留めスロット３８、３８にそのケーブル・コネクター２７、２７を対応的にはめ込んでその出力側端壁３４および入力側端壁３６にその出力側リリース・ケーブルおよび入力側リリース・ケーブル１１、１３を対応的に留め可能にする。 
また、この箱形ケーブル・ホルダー２９は、その底壁３３のその一端の突出し端にその滑車側端壁３７を、その底壁３３のその他端の引込め端にその出力側端壁３５をそれぞれ折り曲げ、そして、その出力側端壁３５をケーブル留めスロット３８を上端に開口させて切り欠いてそのケーブル留めスロット３８にそのケーブル・コネクター２７をはめ込んでその出力側端壁３５にその別の出力側リリース・ケーブル１２を留め可能にしている。さらに、この箱形ケーブル・ホルダー２９は、その出力側端壁３４、３５、入力側端壁３６、および滑車側端壁３７それぞれのその上端にほぞ３９−３９、３９−３９、３９−３９、および３９−３９、３９−３９を突き出してそのほぞ３９−３９、３９−３９、３９−３９、および３９−３９、３９−３９でその蓋３０を外れ留めする。 
【００１３】
その蓋３０は、鋼板から打ち抜かれたブランクにプレス加工を施して頂壁４０の両側端のそれぞれに側壁４１、４１を折り曲げる断面溝形に成形され、そのケーブル・ホルダー２９のそのほぞ３９−３９、３９−３９、３９−３９、および３９−３９、３９−３９に対応してその頂壁４０に抜き穴４２、４２、４２、および４２、４２を明け、そして、そのケーブル・ホルダー２９に被せられ、その抜き穴４２、４２、４２、および４２、４２いそのケーブル・ホルダー２９のそのほぞ３９−３９、３９−３９、３９−３９、および３９−３９、３９−３９をはめ込んでそのほぞ３９−３９、３９−３９、３９−３９、および３９−３９、３９−３９でそのケーブル・ホルダー２９に外れ留めされる。 
【００１４】
そのケーブル連結リンク３１は、それの両リンク端およびリンク中間にローラー・ソケット４３、４３、４３を備え、そして、その２本の出力側リリース・ケーブル１１、１２のそのインナー・ケーブル１６、１８のその入力側ケーブル・エンド２２、２４のそのローラー２８、２８およびその入力側リリース・ケーブル１３のそのインナー・ケーブル２０のその出力側ケーブル・エンド２６のそのローラー２８をその３つのローラー・ソケット４３、４３、４３に対応的にはめ込んでその出力側リリース・ケーブル１１、１２にその入力側リリース・ケーブル１３を連結する。 
このケーブル連結リンク３１は、そのローラー・ソケット４３、４３、４３に伸びるケーブル・スリット４４、４５、４６を切り込んでそのローラー・ソケット４３、４３、４３にそのローラー２８、２８、２８をはめ込む際、そのインナー・ケーブル１６、１８、２０の差し込みに活用し、また、そのローラー・ソケット４３、４３、４３に伸びるケーブル逃げ４７、４８、４９を切り欠いてそのインナー・ケーブル１６、１８、２０を可動にする。 
さらに、このケーブル連結リンク３１は、だぼ付きカバー・プレート５０でそのローラー・ソケット４３、４３、４３にそのローラー２８、２８、２８を回転可能に閉じ込める。 
【００１５】
その案内滑車３２は、その箱形ケーブル・ホルダー２９内においてその別の出力側リリース・ケーブル１２のそのインナー・ケーブル１８のその入力側ケーブル・エンド２４を連結するそのケーブル連結リンク３１のそのリンク端に隣接されて配置される。具体的には、その案内滑車３２は、ピン５３でその箱形ケーブル・ホルダー２９とその蓋３０との間に回転可能に支持される。勿論、そのピン５３は、その箱形ケーブル・ホルダー２９の軸受穴５１とその蓋３０の軸受穴５２とに通されてその箱形ケーブル・ホルダー２９および蓋３０に抜け留めされている。 
この案内滑車３２は、その別の出力側リリース・ケーブル１２のそのインナー・ケーブル１８を掛けてその出力側リリース・ケーブル１１に対して逆方向においてその箱形ケーブル・ホルダー２９からその別の出力側リリース・ケーブル１２を引き出させ、そして、その別の出力側リリース・ケーブル１２に無理な曲げを避ける。その結果、その別の出力側リリース・ケーブル１２はその案内滑車３２で適宜に曲がり案内されてそのシート・トラックのその解除レバーを円滑に操作可能にする。 
【００１６】
したがって、そのリクライニング・デバイスおよびシート・トラックそれぞれの施錠装置が同時に互いに逆方向に解除操作されねばならないにもかかわらず、この解除機構１０では、その同時操作、すなわち、そのストラップを引く操作でそのリクライニング・デバイスおよびシート・トラックそれぞれのその施錠装置が同時に、そして、円滑で確実に解除される。その２本の出力側リリース・ケーブル１１、１２がその入力側リリース・ケーブル１３で同時に引かれてその２本の出力側リリース・ケーブル１１、１２の何れか一方１１がフル・ストロークされ、その際、その２本の出力側リリース・ケーブル１１、１２の何れか他方１２がまだ解除されるまでに引っ張られない場合にもそのケーブル連結リンク３１がその一方の出力側リリース・ケーブル１１の連結点を中心にして揺動されてその他方の出力側リリース・ケーブル１２はそのケーブル連結リンク３１の揺動でさらに引っ張られ、そのようにその他方の出力側リリース・ケーブル１２にはまだ引きストロークの余裕があり、ケーブル取付のバラツキによる片引き状態が回避されて同時操作が確実に行われ、そして特に、その別の出力側リリース・ケーブル１２は、そのインナー・ケーブル１８がその案内滑車３２に掛けられ、適宜に曲がり案内されて引き方向を変えられることによってその出力側リリース・ケーブル１１に対して逆方向においてその二叉ケーブル連結器１４のその蓋付き箱形ケーブル・ホルダー２９から引き出され、その結果、その同時操作が円滑で確実に行われ、そして、その複数の施錠装置が同時に確実に解除される。勿論、その２本の出力側リリース・ケーブル１１、１２のその一方１１がまだ解除されるまでに引っ張らない場合には、そのケーブル連結リンク３１は前述と逆に揺動される。 
【００１７】
そのように、この解除機構１０では、その別の出力側リリース・ケーブル１２がその案内滑車３２を用いて適宜に曲がり案内されて方向変換され、そして、その出力側リリース・ケーブル１１に対して引き方向を逆にするので、その別の出力側リリース・ケーブル１２には無理な力がかからずその出力側リリース・ケーブル１１、１２および入力側リリース・ケーブル１３は標準プッシュ・プル・ケーブルで具体化可能になる。すなわち、その出力側リリース・ケーブル１１、１２および入力側リリース・ケーブル１３はコストの上昇が避けられて製作可能になる。 
【００１８】
この解除機構１０では、その２本の出力側リリース・ケーブル１１、１２のそれぞれが、そのインナー・ケーブル１６、１８のその入力側ケーブル・エンド２２、２４にボールを結合し、その入力側リリース・ケーブル１３が、そのインナー・ケーブル２０のその出力側ケーブル・エンド２６にボールを結合し、そして、その二叉ケーブル連結器１４が、そのケーブル連結リンク３１のその両リンク端およびリンク中間にボール・ソケットを備え、そして、その２本の出力側リリース・ケーブル１１、１２のそのインナ・ケーブル１５、１８のその入力側ケーブル・エンド２２、２４のそのボールおよびその入力側リリース・ケーブル１３のそのインナー・ケーブル２０のその出力側ケーブル・エンド２６のそのボールをその３つのボール・ソケットに対応的にはめ込んでその２本の出力側リリース・ケーブル１１、１２にその入力側リリース・ケーブル１３を連結させてもかまわない。 
【００１９】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。 
【産業上の利用可能性】
【００２０】
上述から理解されるように、この発明の乗り物シートの複数の施錠装置に用いる解除機構は、施錠装置に連結される出力側リリース・ケーブルと、別の施錠装置に連結される別の出力側リリース・ケーブルと、その２本の出力側リリース・ケーブルの解除操作を伝達する入力側リリース・ケーブルと、その施錠装置の解除ストロークよりも長い引きストロークを確保するケーブル・ホルダー、そのケーブル・ホルダー内において互いに向かい合う方向で両リンク端にその２本の出力側リリース・ケーブルの入力側ケーブル・エンドを対応的に連結し、リンク中間にその入力側リリース・ケーブルの出力側ケーブル・エンドを連結し、そして、そのケーブル・ホルダーの外にその出力側リリース・ケーブル、その別の出力側リリース・ケーブル、およびその入力側リリース・ケーブルを引き出し可能にするケーブル連結リンク、およびそのケーブル・ホルダー内においてその別の出力側リリース・ケーブルのその入力側ケーブル・エンドを連結するそのケーブル連結リンクのそのリンク端に隣接されて配置され、そして、その別の出力側リリース・ケーブルを掛けてその出力側リリース・ケーブルに対して逆方向においてそのケーブル・ホルダーからその別の出力側リリース・ケーブルを引き出し可能にする案内滑車で組み立てられる二叉ケーブル連結器とを含むので、この発明の乗り物シートの複数の施錠装置に用いる解除機構では、その２本の出力側リリース・ケーブルがその入力側リリース・ケーブルで同時に引かれてその２本の出力側リリース・ケーブルの何れか一方がフル・ストロークされ、その際、その２本の出力側リリース・ケーブルの他方がまだ解除させるまでに引っ張られない場合にもその２本の出力側リリース・ケーブルのその他方はそのケーブル連結リンクの揺動でさらに引っ張り可能になり、すなわち、その２本の出力側リリース・ケーブルの何れか他方には、まだ引きストロークの余裕があり、ケーブル取付けのバラツキによる片引き状態が回避されて同時操作が確実に行われ、特に、その他方の出力側リリース・ケーブルがその案内滑車に掛けられ、適宜に曲がり案内されて引き方向を変えられることによってその一方の出力側リリース・ケーブルに対して逆方向においてその二叉ケーブル連結器のその箱形ケーブル・ホルダーから引き出され、その同時操作が円滑で確実に行われ、そのようにその複数の施錠装置の解除方向、すなわち、引き方向が互いに逆である場合にもその複数の施錠装置が同時に円滑で確実に解除可能になり、また、その他方の出力側リリース・ケーブルがその案内滑車で適宜に曲がり案内されて方向変換されてその一方の出力側リリース・ケーブルに対して引き方向を逆にでき、その他方の出力側リリース・ケーブルが無理に曲げられず、それに伴って無理な力がその他方の出力側リリース・ケーブルにかかることが未然に回避されて二叉ケーブルが標準ケーブルで製作可能になってコストの上昇が避けられ、その結果、自動車シートにとって非常に有用で実用的である。 
【図面の簡単な説明】
【００２１】
【図１】乗用車やワゴンなどのフロント・シートに適用されるところのこの発明の乗り物シートの複数の施錠装置に用いる解除機構の具体例を一部破断して示した平面図である。
【図２】図１の２−２線に沿って示した断面図である。
【図３】図１の３−３線に沿って示した断面図である。
【図４】二叉ケーブル連結器１４を一方の側から見て一部を省いて示した端面図である。
【図５】その二叉ケーブル連結器を他方の側から見て一部を省いて示した端面図である。
【図６】ケーブル連結リンクを示した上面図である。
【図７】そのケーブル連結リンクを一方の側から見て示した側面図である。
【図８】そのケーブル連結リンクを他方の側から見て示した側面図である。
【図９】そのケーブル連結リンクを示した端面図である。
【図１０】そのケーブル連結リンクを断面して示した断面図である。
【図１１】だぼ付きカバー・プレートを示した上面図である。
【図１２】そのだぼ付きカバー・プレートを示した側面図である。
【符号の説明】
【００２２】
１１    出力側リリース・ケーブル 
１２    別の出力側リリース・ケーブル 
１３    入力側リリース・ケーブル 
１４    二叉ケーブル連結器 
１５    アウター・ケーブル 
１６    インナー・ケーブル 
１７    アウター・ケーブル 
１８    インナー・ケーブル 
１９    アウター・ケーブル 
２０    インナー・ケーブル 
２１    入力側ケーブル・エンド 
２２    入力側リリース・ケーブル 
２３    入力側リリース・ケーブル 
２４    入力側リリース・ケーブル 
２５    出力側ケーブル・エンド 
２６    出力側ケーブル・エンド 
２７    ケーブル・コネクター 
２８    ローラー 
２９    箱形ケーブル・ホルダー 
３０    蓋 
３１    ケーブル連結リンク 
３２    案内滑車 
３３    底壁 
３４    出力側端壁 
３５    出力側端壁 
３６    入力側端壁 
３７    滑車側端壁 
３８    ケーブル留めスロット 
３９    ほぞ 
４０    頂壁 
４１    側壁 
４２    抜き穴 
４３    ローラー・ソケット 
４４    ケーブル・スリット 
４５    ケーブル・スリット 
４６    ケーブル・スリット 
４７    ケーブル逃げ 
４８    ケーブル逃げ 
４９    ケーブル逃げ 
５０    だぼ付きカバー・プレート 
５３    ピン 
【図１】
2007118802.tif 000003
【図２】
2007118802.tif 000004
【図３】
2007118802.tif 000005
【図４】
2007118802.tif 000006
【図５】
2007118802.tif 000007
【図６】
2007118802.tif 000008
【図７】
2007118802.tif 000009
【図８】
2007118802.tif 000010
【図９】
2007118802.tif 000011
【図１０】
2007118802.tif 000012
【図１１】
2007118802.tif 000013
【図１２】
2007118802.tif 000014